(57)【要約】【課題】  複数の音楽アルバムにまたがってランダム再生を行っているときに、非常に簡単な操作で再生条件を切り替ることが可能な「音楽再生装置および選曲方法」を提供する。【解決手段】  指定された再生モードによる再生の実行時に再生条件を変更するための専用ボタンを設け、専用ボタンの操作に応じて、再生条件を変更して各曲を順次再生させるように制御することにより、例えば複数の音楽アルバムにまたがってランダム再生を行っているときに、専用ボタンを押すだけの非常に簡単な操作で再生条件を切り替えて、例えば好みのアーティストの曲だけを続けて再生することができるようにする。【選択図】        図２
2006202431.tif 000002
【特許請求の範囲】
【請求項１】
複数の曲のオーディオデータを記憶する記録媒体と、
上記記録媒体に記憶されている全てまたは一部の曲を対象にして、指定された再生モードに従って再生を行うように制御する再生制御手段と、
上記再生制御手段による再生の実行時に再生条件を変更するための専用ボタンと、
上記再生制御手段による再生の実行時における上記専用ボタンの操作に応じて再生条件に変更し、変更後の再生条件に従って各曲を再生させるように制御する異種条件再生制御手段とを備えたことを特徴とする音楽再生装置。
【請求項２】
複数枚の音楽アルバムに収録されている複数の曲のオーディオデータを記憶する記録媒体と、
上記記録媒体に記憶されている全てまたは一部の曲を対象にして、複数の音楽アルバムにまたがって曲の再生順序を並べ直し、各曲を１回ずつ一巡して再生させるランダム再生を行うように制御するランダム再生制御手段と、
上記ランダム再生の実行時に再生条件を変更するための専用ボタンと、
上記ランダム再生の実行時における上記専用ボタンの操作に応じて再生条件に変更し、変更後の再生条件に従って各曲を再生させるように制御する異種条件再生制御手段とを備えたことを特徴とする音楽再生装置。
【請求項３】
上記記録媒体は、複数枚の音楽アルバムに収録されている複数の曲のオーディオデータを、どの曲がどの音楽アルバムに属するものであるかを識別可能な状態にて記憶しており、
上記異種条件再生制御手段は、上記専用ボタンが操作されたときに再生されていた曲と同じ音楽アルバムに属する複数の曲を順次再生させるように制御することを特徴とする請求項２に記載の音楽再生装置。
【請求項４】
上記記録媒体は、複数枚の音楽アルバムに収録されている複数の曲のオーディオデータを、どの曲がどのアーティストによるものであるかを識別可能な状態にて記憶しており、
上記異種条件再生制御手段は、上記専用ボタンが操作されたときに再生されていた曲と同じアーティストによる複数の曲を順次再生させるように制御することを特徴とする請求項２に記載の音楽再生装置。
【請求項５】
上記記録媒体は、複数枚の音楽アルバムに収録されている複数の曲のオーディオデータを、どの曲がどのジャンルに属するものであるかを識別可能な状態にて記憶しており、
上記異種条件再生制御手段は、上記専用ボタンが操作されたときに再生されていた曲と同じジャンルに属する複数の曲を順次再生させるように制御することを特徴とする請求項２に記載の音楽再生装置。
【請求項６】
上記異種条件再生制御手段は、上記変更後の再生条件に合致する複数の曲を対象にしてランダム再生を行うように制御することを特徴とする請求項１〜５の何れか１項に記載の音楽再生装置。
【請求項７】
複数の曲のオーディオデータが記憶されている記録媒体内の全てまたは一部の曲を対象にして、指定された再生モードに従って各曲を再生させる第１のステップと、
上記再生の実行中に、再生条件を変更するための専用ボタンが操作されたか否かを判定する第２のステップと、
上記専用ボタンが操作されたことに応じて再生条件を変更し、変更後の再生条件に従って各曲を再生させるように制御する第３のステップとを有することを特徴とする選曲方法。
【発明の詳細な説明】
【技術分野】
【０００１】
本発明は、音楽再生装置および選曲方法に関し、特に、複数の曲をランダムな順番に再生する機能および特定の条件に合致する曲のみを順番に再生する機能を備えた音楽再生装置に用いて好適なものである。
【背景技術】
【０００２】
近年、車室内の大きな振動や温度変化に充分耐えうるハードディスクの開発が進み、ハードディスクを搭載した車載オーディオ装置が提供されるようになってきている。この種の車載オーディオ装置によれば、ＣＤ（Compact Disc）やＤＶＤ（Digital Versatile Disk）などの各種メディアに記録されている音楽のオーディオデータをハードディスクに録音することにより、複数枚のメディアを抜き差しすることなく多くの音楽の再生を楽しむことができる。
【０００３】
また、最近のハードディスクは小型化および大容量化が進み、携帯電話やＰＤＡ（Personal Digital Assistants）、携帯ＭＰ３（MPEG Audio Layer-3）プレーヤなどの携帯機器にもハードディスクが内蔵されてきている。この種の携帯機器によれば、内蔵ハードディスクに複数の音楽のオーディオデータを記録して持ち歩き、いつでもどこでも音楽の再生を楽しむことができる。
【０００４】
ハードディスクに複数の曲を記録した場合、ハードディスクのランダムアクセス性を利用して、所定の乱数発生手法を用いてハードディスク内の全てまたは一部の曲を対象にして再生順序を並べ直し、各曲を１回ずつ一巡して再生させることが可能である。いわゆるランダム再生である。ＣＤやＤＶＤなどの光ディスクでもランダム再生が可能であるが（例えば、特許文献１参照）、ハードディスクの場合は特に、複数の曲を収録した音楽アルバムが複数枚分記録されているときに、複数の音楽アルバムにまたがってランダム再生を行うことも可能である。
【特許文献１】特開２０００−３０６３７１号公報
【発明の開示】
【発明が解決しようとする課題】
【０００５】
複数の音楽アルバムにまたがってランダム再生を行っている場面で、ある曲が再生されたときの音楽アルバムまたはアーティストなどをユーザが気に入り、それと同じ音楽アルバムまたはアーティストの曲をその後から続けて聴きたいと思うことがある。
【０００６】
しかしながら、この場合に従来は、メニューボタン等を操作して液晶画面等に再生メニューを一旦表示させ、この再生メニュー上でランダム再生を中止するための操作をした後に、所望の音楽アルバムまたはアーティストを指定するための操作をし、更に再生ボタンを改めて操作しなければならなかった。そのため、ランダム再生中に再生条件を切り替えるための操作が非常に煩雑で面倒であるという問題があった。
【０００７】
本発明は、このような問題を解決するために成されたものであり、例えば複数の音楽アルバムにまたがってランダム再生を行っているときに、非常に簡単な操作で再生条件を切り替えられるようにすることを目的とする。
【課題を解決するための手段】
【０００８】
上記した課題を解決するために、本発明では、指定された再生モードによる再生の実行時に再生条件を変更するための専用ボタンを設け、専用ボタンの操作に応じて、再生条件を変更して各曲を順次再生させるように制御する。専用ボタンは、例えば、再生条件の変更以外には機能が一切割り当てられていないハードウェアボタンや、再生条件の変更機能が動的に割り当てられたハードウェアボタン、画面上に表示される専用のメニュー項目などのソフトウェアボタンを含む。
【発明の効果】
【０００９】
上記のように構成した本発明によれば、指定された再生モードで各曲の再生を行っているとき、例えば、複数の音楽アルバムにまたがってランダム再生を行っているときに、専用ボタンを押すだけの非常に簡単な操作で再生条件を切り替えることができる。
【発明を実施するための最良の形態】
【００１０】
以下、本発明の一実施形態を図面に基づいて説明する。図１は、本実施形態による音楽再生装置の構成例を示すブロック図である。図１に示すように、本実施形態による音楽再生装置１００は、データ読取部１、メディア情報取得部２、記録部３、ハードディスク４、再生制御部５、Ｄ／Ａ変換器６、アンプ７、スピーカ８、コントローラ９、モニタ１０および操作部１１を備えて構成されている。
【００１１】
データ読取部１は、ＣＤやＤＶＤなどのメディア２００から収録曲のオーディオデータおよびその付随情報であるＴＯＣ（Table of Contents）情報を読み出す。メディア情報取得部２は、データ読取部１により読み出されたＴＯＣ情報をキーとしてＣＤＤＢ（CD Database）３００にアクセスして情報を検索し、そのメディア２００に関する楽曲情報（収録曲の曲名、アーティスト名、アルバム名、ジャンル、演奏時間など）を取得する。
【００１２】
ＣＤＤＢ３００は、各種の音楽ＣＤや音楽ＤＶＤに収録された楽曲に関する情報（収録曲の曲名、アーティスト名、アルバム名、ジャンル、演奏時間など）を提供するためのデータベースである。このＣＤＤＢ３００は、音楽再生装置１００の外部に備えられ、インターネットなどの通信ネットワークを通じて音楽再生装置１００と適宜接続される。
【００１３】
記録部３は、データ読取部１によりメディア２００から読み出された各曲のオーディオデータ４１をハードディスク４に記録するとともに、メディア情報取得部２によりＣＤＤＢ３００から取得されたメディア２００の楽曲情報を、そのメディア２００に含まれている各曲の付加情報４２としてハードディスク４に記録する。
【００１４】
ハードディスク４は、本発明の記録媒体に相当するものであり、複数枚の音楽アルバムに収録されている複数の曲のオーディオデータ４１を、各曲の付加情報４２と関連付けて記憶する。これにより、どの曲がどの音楽アルバムに属するものであるかとか、どの曲がどのアーティストによるものであるか、どの曲がどのジャンルに属するものであるかを識別可能な状態にて記憶している。
【００１５】
再生制御部５は、ハードディスク４に記憶されているオーディオデータ４１の再生制御を行う。この再生制御部５は様々な再生モードを有している。例えば、ランダム再生モード、アルバム再生モード、アーティスト再生モード、ジャンル再生モードなど、異なる再生条件に従って各曲を再生するための複数の再生モードを有している。
【００１６】
ランダム再生モードが指定されているときは、再生制御部５は、ハードディスク４に記憶されている全てまたは一部の曲（オーディオデータ４１）を対象にして、複数の音楽アルバムにまたがって曲の再生順序を並べ直し、各曲を１回ずつ一巡して再生させるランダム再生を行う。このように、再生制御部５は、本発明のランダム再生制御手段を構成する。
【００１７】
アルバム再生モードが指定されているときは、再生制御部５は、操作部１１の操作によって指定された音楽アルバムに属する複数の曲を順に再生させる。アーティスト再生モードが指定されているときは、再生制御部５は、操作部１１の操作によって指定されたアーティストに属する複数の曲を順に再生させる。ジャンル再生モードが指定されているときは、再生制御部５は、操作部１１の操作によって指定されたジャンルに属する複数の曲を順に再生させる。
【００１８】
どの再生モードでオーディオデータ４１の再生を開始するかは、操作部１１を操作することによって指定することが可能である。例えば、操作部１１に設けられているメニューボタンを操作して、モニタ１０に再生モード選択メニューを表示させる。そして、この再生モード選択メニュー上で所望の再生モードを選択した後に、所望の音楽アルバム、所望のアーティスト、所望のジャンルを必要に応じて指定し、更に再生ボタンを操作することにより、所望の再生モードでオーディオデータ４１の再生を開始する。
【００１９】
何れの再生モードが指定されているときも、再生制御部５は、ハードディスク４から読み出したオーディオデータ４１をＤ／Ａ変換器６に供給する。Ｄ／Ａ変換器６は、再生制御部５により再生されたオーディオデータ４１をアナログオーディオ信号に変換してアンプ７に出力する。アンプ７は、Ｄ／Ａ変換器６から出力されたアナログオーディオ信号を所定レベルに増幅してスピーカ８に出力する。スピーカ８は、アンプ７により増幅されたアナログオーディオ信号をもとに、再生音声を出力する。
【００２０】
コントローラ９は、上述したデータ読取部１、メディア情報取得部２、記録部３および再生制御部５の動作を制御する。モニタ１０は、コントローラ９による制御の下で、上述した再生モード選択メニューを含めて、曲の再生に関連する種々の情報を表示する。例えば、再生制御部５がハードディスク４から読み出した付加情報４２をコントローラ９から受け取って、再生中の曲に関する楽曲情報をモニタ１０に表示する。
【００２１】
操作部１１は、上述したメニューボタンや再生ボタンを含めて、曲の再生に関連する種々の操作を行うための各種操作子を備えている。特に本実施形態では、ランダム再生の実行時に再生条件を動的に変更するための専用ボタンを備えているところに特徴がある。
【００２２】
ここで、専用ボタンは、再生条件の切り替え以外には機能が一切割り当てられていないハードウェアボタンであっても良いし、ランダム再生の実行時に再生条件の切り替え機能が動的に割り当てられたハードウェアボタン（ランダム再生時以外は他の機能が割り当てられているもの）であっても良い。また、ここでは操作部１１自身が専用ボタンを備える例について説明しているが、モニタ１０の画面上に表示される専用のメニュー項目などのソフトウェアボタンを専用ボタンとして用いるようにしても良い。
【００２３】
操作部１１の操作によって発生した操作信号は、コントローラ９を通じて再生制御部５に伝えられる。ランダム再生の実行時に操作部１１の専用ボタンが操作されたときには、再生制御部５は、それまでのランダム再生の条件からそれとは異なる再生条件に変更し、変更後の再生条件に従ってオーディオデータ４１を再生させるように制御する。このように、再生制御部５は、本発明の異種条件再生制御手段も構成する。
【００２４】
例えば、操作部１１の専用ボタンとして、同アルバム再生ボタンを設けた場合には、再生制御部５は、同アルバム再生ボタンが操作されたときに再生されていた曲と同じ音楽アルバムに属する複数の曲を順次再生させるように制御する。このとき、同アルバム再生ボタンが操作されたときに再生されていた曲に続けて、それと同じ音楽アルバムに属する他の曲を順に再生するようにしても良いし、その音楽アルバムに属する複数の曲を１曲目から順に再生するようにしても良い。また、その音楽アルバムに属する複数の曲を対象にしてランダム再生を行うようにしても良い。
【００２５】
図２は、操作部１１の専用ボタンとして、同アルバム再生ボタンを設けた場合における選曲動作例を示す図である。最初に操作部１１を操作してランダム再生モードを選択して再生の開始を指示すると、複数の音楽アルバムにまたがるランダム再生が実行される。図２の例では、アルバム名「ＡＡＡ」、曲名「Ａ１−１」の曲が１曲目に再生され、アルバム名「ＢＢＢ」、曲名「Ｂ２−３」の曲が２曲目に再生され、アルバム名「ＣＣＣ」、曲名「Ｃ３−２」の曲が３曲目に再生されている。
【００２６】
ユーザがこの３曲目を聴いているときに、その音楽アルバム「ＣＣＣ」が気に入り、それと同じ音楽アルバムの曲を続けて聴きたいと思ったとする。この場合にユーザは、３曲目の視聴中に操作部１１の同アルバム再生ボタンを操作する。これに応じて再生制御部５は、４曲目以降は、同アルバム再生ボタンが操作されたときに再生されていた曲と同じ音楽アルバム「ＣＣＣ」に属する複数の曲「Ｃ３−６」「Ｃ３−１」「Ｃ３−１０」を順次再生させるように制御する。曲名の−（ハイフン）の後に記されている数字は、その音楽アルバム内での収録順を示している。図２の例では、３曲目と同じ音楽アルバム「ＣＣＣ」に属する複数の曲が、４曲目以降もランダムに再生されている。
【００２７】
また、操作部１１の専用ボタンとして、同アーティスト再生ボタンを設けた場合には、再生制御部５は、同アーティスト再生ボタンが操作されたときに再生されていた曲と同じアーティストによる複数の曲を順次再生させるように制御する。例えば、同アーティスト再生ボタンが操作されたときに再生されていた曲に続けて、それと同じアーティストによる他の曲を順に再生する。順に再生するとは、１つの音楽アルバムの中に同じアーティストの曲が複数含まれている場合にはその収録順、複数の音楽アルバムにまたがって同じアーティストの曲が複数含まれている場合には、例えばハードディスク４への記録日順に沿って再生することを言う。また、同じアーティストによる複数の曲を対象にしてランダム再生を行うようにしても良い。
【００２８】
また、操作部１１の専用ボタンとして、同ジャンル再生ボタンを設けた場合には、再生制御部５は、同ジャンル再生ボタンが操作されたときに再生されていた曲と同じジャンルに属する複数の曲を順次再生させるように制御する。例えば、同ジャンル再生ボタンが操作されたときに再生されていた曲に続けて、それと同じジャンルに属する他の曲を順に再生する。順に再生するとは、１つの音楽アルバムの中に同じジャンルの曲が複数含まれている場合にはその収録順、複数の音楽アルバムにまたがって同じジャンルの曲が複数含まれている場合には、例えばハードディスク４への記録日順に沿って再生することを言う。また、同じジャンルに属する複数の曲を対象にしてランダム再生を行うようにしても良い。
【００２９】
なお、ここに例示した専用ボタンとしての同アルバム再生ボタン、同アーティスト再生ボタン、同ジャンル再生ボタンは、何れか１つのみを設けるようにしても良いし、２つまたは３つを設けるようにしても良い。
【００３０】
図３は、上記のように構成した本実施形態の音楽再生装置１００による選曲方法の処理手順を示すフローチャートである。なお、このフローチャートは、同アルバム再生ボタン、同アーティスト再生ボタン、同ジャンル再生ボタンの中の何れか１つのみを専用ボタンとして設けた場合の処理手順を示している。
【００３１】
図３において、コントローラ９は、操作部１１による再生モードの選択操作を受け付けて、選択された再生モードの情報を再生制御部５に通知する（ステップＳ１）。再生制御部５は、この通知を受けて、選択された再生モードがランダム再生モードか否かを判定する（ステップＳ２）。
【００３２】
選択されたモードがランダム再生モードでないと判断した場合、再生制御部５は、それ以外の指定された再生モード（アルバム再生モード、アーティスト再生モード、ジャンル再生モードなど）に従って各曲の再生を実行する（ステップＳ３）。そして、再生が終了したかどうかを判定し（ステップＳ４）、終了していなければステップＳ３の処理を続行し、再生が終了していればこのフローチャートの処理を終了する。なお、再生が終了する場合とは、ユーザによって操作部１１の再生停止ボタンが操作された場合や、指定された再生モードで再生すべき曲の全てを再生し終わった場合などである。
【００３３】
選択されたモードがランダム再生モードであった場合、再生制御部５は、複数の音楽アルバムにわたるランダム再生を実行する（ステップＳ５）。そして、このランダム再生の実行中に、再生が終了したかどうかを判定し（ステップＳ６）、終了していればこのフローチャートの処理を終了する。一方、再生が終了していなければ、再生制御部５は、コントローラ９から通知される情報を通じて、専用ボタンが操作されたか否かを判定する（ステップＳ７）。
【００３４】
専用ボタンが操作されていないと判断した場合は、ステップＳ５の処理を続行する。一方、専用ボタンが操作されたと判断した場合、再生制御部５は、再生条件を変更して（ステップＳ８）、変更後の再生条件に従って各曲を再生する（ステップＳ９）。すなわち、専用ボタンが同アルバム再生ボタンである場合は、同アルバム再生ボタンが操作されたときに再生されていた曲と同じ音楽アルバムに属する複数の曲を順次再生させるように制御する。また、専用ボタンが同アーティスト再生ボタンである場合は、同アーティスト再生ボタンが操作されたときに再生されていた曲と同じアーティストによる複数の曲を順次再生させるように制御する。また、専用ボタンが同ジャンル再生ボタンである場合は、同ジャンル再生ボタンが操作されたときに再生されていた曲と同じジャンルに属する複数の曲を順次再生させるように制御する。
【００３５】
このように変更後の再生条件に従って各曲を再生している際に、再生制御部５は、再生が終了したかどうかを判定し（ステップＳ１０）、終了していればこのフローチャートの処理を終了する。一方、再生が終了していなければ、再生制御部５は、コントローラ９から通知される情報を通じて、専用ボタンが再度操作されたか否かを判定する（ステップＳ１１）。専用ボタンが再度操作されていなければ、ステップＳ９の処理を続行する。一方、専用ボタンが再度操作された場合は、再生制御部５は、再生条件を元に戻して（ステップＳ１２）、ステップＳ５の処理に戻り、再びランダム再生を実行する。
【００３６】
専用ボタンの操作が１回目（ステップＳ７によるもの）か、２回目（ステップＳ１１によるもの）かについて区別するためには、何らかの情報が必要である。例えば、専用ボタンが操作されるたびに“１”と“０”の値がトグル的に切り替わるフラグ情報を図示しないメモリにセットすることで区別することが可能である。
【００３７】
なお、同アルバム再生ボタン、同アーティスト再生ボタン、同ジャンル再生ボタンの中の何れか２つまたは３つを専用ボタンとして設けた場合、ステップＳ７では、どの専用ボタンが操作されたのかも併せて判定し、ステップＳ８では、操作された専用ボタンに応じた再生条件に変更する。また、ステップＳ１１では、ステップＳ７で操作された専用ボタンと同じ専用ボタンが操作されたか否かを判定し、同じ専用ボタンが操作されていた場合にはステップＳ１２に進むが、異なる専用ボタンが操作されていたときにはステップＳ８の処理に戻る。
【００３８】
以上詳しく説明したように、本実施形態によれば、ランダム再生の実行時に再生条件を変更するための専用ボタンを設け、専用ボタンの操作に応じて、再生条件を変更して各曲を順次再生させるようにしたので、複数の音楽アルバムにまたがってランダム再生を行っているときに、専用ボタンを押すだけの非常に簡単な操作で再生条件を切り替えて、所望の音楽アルバム、所望のアーティスト、所望のジャンルに属する曲だけを続けて聴くことができる。
【００３９】
また、本実施形態では、ランダム再生モードからそれ以外の再生モード（アルバム再生モード、アーティスト再生モード、ジャンル再生モードなど）へと単純に再生モードを切り替えるだけでなく、例えば同じ音楽アルバムに属する複数の曲を対象としてランダム再生を行うなど（図２参照）、複数の再生モードをミックスしたような再生条件に変更することもでき、これを専用ボタンを押すだけの非常に簡単な操作で行うことができる。
【００４０】
なお、上記実施形態では、オーディデータ４１と付加情報４２との関連付けによって、どの曲がどの音楽アルバムに属するのかや、どの曲がどのアーティストのものか、どの曲がどのジャンルに属するのかを識別可能にしているが、これに限定されない。例えば、同じ音楽アルバムに属する複数の曲を１つのフォルダ内に記録したり、同じアーティストに属する複数の曲を１つのフォルダ内に記録したり、同じジャンルに属する複数の曲を１つのフォルダ内に記録したりすることによって、どの曲がどの音楽アルバム、どのアーティスト、どのジャンルに属するのかを識別可能にすることもできる。
【００４１】
また、上記実施形態では、音楽アルバム、アーティスト、ジャンルを識別するためにＣＤＤＢ３００の情報を利用しているが、これに限定されない。例えば、メディア２００からハードディスク４に曲を録音するときに、操作部１１を用いて音楽アルバム、アーティスト、ジャンルなどの情報を手入力するようにしても良い。
【００４２】
また、上記実施形態では、ランダム再生モードの設定時に専用ボタンを押すことによって再生条件を変更する例について説明したが、本発明はこれに限定されない。すなわち、アルバム再生モード、アーティスト再生モード、ジャンル再生モードなどの設定時に専用ボタンを押すことによって再生条件を変更するようにしても良い。例えば、１枚の音楽アルバムの中に複数のアーティストの曲が収録されているものをアルバム再生モードで再生しているときに、気に入ったアーティストの曲の再生中に同アーティスト再生ボタンを押すことにより、そのアーティストの曲だけを続けて再生するようにすることが可能である。
【００４３】
その他、上記実施形態は、何れも本発明を実施するにあたっての具体化の一例を示したものに過ぎず、これによって本発明の技術的範囲が限定的に解釈されてはならないものである。すなわち、本発明はその精神、またはその主要な特徴から逸脱することなく、様々な形で実施することができる。
【産業上の利用可能性】
【００４４】
本発明は、複数の曲をランダムな順番に再生する機能と、同じ音楽アルバムに属する曲、同じアーティストによる曲、同じジャンルに属する曲などのように、特定の条件に合致する曲のみを順番に再生する機能とを備えた音楽再生装置に有用である。
【図面の簡単な説明】
【００４５】
【図１】本実施形態による音楽再生装置の構成例を示すブロック図である。
【図２】操作部の専用ボタンとして、同アルバム再生ボタンを設けた場合における選曲動作例を示す図である。
【図３】本実施形態の音楽再生装置による選曲方法の処理手順を示すフローチャートである。
【符号の説明】
【００４６】
４  ハードディスク
５  再生制御部
１０  モニタ
１１  操作部
【図１】
2006202431.tif 000003
【図２】
2006202431.tif 000004
【図３】
2006202431.tif 000005